【事件の表示】
　特願２００１−１８４６６６「オーディオデータ処理装置、オーディオデータ処理方法、オーディオデータ処理方法のプログラム、オーディオデータ再生装置及びオーディオデータ再生システム」拒絶査定不服審判事件〔平成１５年　１月１０日出願公開、特開２００３−　　７０３８〕について、次のとおり審決する。
【結　論】
　本件審判の請求は、成り立たない。
【理　由】
１．手続の経緯
　
　本件の審判請求に係る特許出願（以下「本願」という。）は、平成１３年６月１９日に出願したものであって、平成２０年１２月１５日付けの拒絶理由通知に対する応答期間内の平成２１年２月１０日付けで手続補正がなされたが、同年４月２日付けで拒絶査定がなされ、これに対し、同年６月８日付けで拒絶査定不服審判が請求されたものである。
　
２．本願発明
　本願の請求項１乃至１４に係る発明は、平成２１年２月１０日付け手続補正書の特許請求の範囲に記載された事項により特定されるものと認められるところ、請求項１に係る発明（以下「本願発明」という。）は、次のとおりのものである。
　
「【請求項１】
　外部からオーディオデータを抽出する抽出手段と、
　前記抽出手段にて抽出したオーディオデータの録音レベルを検出して検出結果を出力する検出手段と、
　前記検出結果を対応するオーディオデータと関連付けてデータベース化するデータベース生成手段と、
　前記抽出したオーディオデータと前記データベースを記録する不揮発性の記録手段とを
有する
　オーディオデータ処理装置。」
　
３．引用例
　
　原査定の拒絶の理由に引用された特開２００１−８４６９６号公報（平成１３年３月３０日公開、以下「引用例」という。）には、図面と共に、以下の記載がある。（なお、下線は当審で付与した。）
　
（１）「【特許請求の範囲】
【請求項１】（略）
【請求項２】
入力信号を記録媒体に記録する装置であって
入力信号のレベルを検出するレベル検出手段
レベル検出手段によって検出されたレベルの所定区分における最大値を算出する最大レベル算出手段
最大レベル算出手段によって算出された最大値を当該所定区分に対応付けて記録媒体に記録する最大値記録手段
を備えた記録装置
【請求項３】〜【請求項４】（略）
【請求項５】請求項１から請求項３のいずれかの装置において、
前記所定区分は、曲が異なる毎に、異なる区分とした
を特徴とする装置。
【請求項６】〜【請求項１３】（略）」
　
（２）「【０００１】
【発明の属する技術分野】本発明は、記録再生装置に関し、特に、出力レベル調整を容易に行うことができる記録再生装置に関する。」
　
（３）「【００２５】
「記録媒体」とは
実施形態においては、ＭＤがこれに該当する
　
（４）「【００３４】１−２．ＭＤレコーダーのハードウエア
本発明にかかる記録再生装置の一実施形態であるＭＤレコーダー２１のハードウエア構成を図２に示す。ＭＤレコーダー２１は、ピークレベル検出器３５、レベル調整部３７、ＡＴＲＡＣ処理部３９、信号処理部４１、ショックプルーフメモリ４３、操作部４５、表示部４７、メカ部４９、ＣＰＵ５１およびメインメモリ５３を有している。
【００３５】
ピークレベル検出器３５は、外部からの入力信号の入力レベルを所定時間毎に検出する
【００３６】信号処理部４１は、ＡＴＲＡＣ処理部３９によってＡＴＲＡＣ処理が施された信号およびメカ部４９がＭＤから読み取ったデータに対して、ＥＦＭ（Eight to Fourteen Modulation）処理（変調処理）およびＡＣＩＲＣ（Advanced Cross Interleave Reed-Solomon code）処理（ＣＤ−ＲＯＭの誤り訂正方式処理）を施す。ショックプルーフメモリ４３は、メカ部４９がＭＤ５５から読み取ったデータやＭＤ５５に書き込もうとするデータを一時的に保存する。操作部４５（入力手段）は、外部からの操作信号を受付ける。表示部４７は、再生中の曲の曲番号、曲名、再生時間等を表示する。メカ部４９は、半導体レーザ、磁気ヘッド、光学系を利用したピックアップ等を用いて、ＭＤ５５へのデータの書き込みおよびＭＤ５５からのデータの読み取りを行う。
【００３７】ＣＰＵ５１は、入力レベル検出器３５、レベル調整器３７、ＡＴＲＡＣ処理部３９、信号処理部４１、メカ部４９、表示部４７等の動作を制御する。メインメモリ５３（記憶手段）は、ＣＰＵ５１の動作を制御するためのプログラムを有している。
【００３８】１−３．記録動作
ＭＤレコーダー２１を用いて、入力レベルの最大値をＭＤ５５へ記録する処理手順を図３のフローチャートを用いて以下で説明する。今、ＣＤからＭＤに「曲」を録音する場合を考える。
【００３９】ＭＤレコーダー２１は、録音開始時に、今から録音しようとする曲がＭＤのどのトラックに記録されるのかを、ＭＤのＴＯＣから取得し、それをメインメモリ５３に記憶する（Ｓ１）。そして、各トラックに対する入力レベルの最大値を一時記録するメインメモリ内の領域をリセットする（Ｓ２）。
【００４０】
録音しようとする入力信号（ＣＤの音楽データ）を外部（ＣＤプレイヤー）から受け取ると、所定時間毎に入力信号の入力レベルを検出する（Ｓ３）
【００４１】判断の結果、取得した入力レベルの値が最大値より大きければ、取得した入力レベルの値を最大値とし、メインメモリ５３に記憶する（Ｓ７）。取得した入力レベルの値が、最大値より小さければ、最大値の値をそのまま保持する。
【００４２】ここで、
メインメモリ５３に記憶されている入力レベルの最大値のデータ構造を図４に示す。入力レベルの最大値は、その最大値を取得した曲の録音トラックと関連付けてメインメモリ５３内に記憶されている
【００４３】図３のフローチャートに戻って、次に、録音を終了するか否かを判断する（Ｓ９）。ステップＳ９において、録音を終了しないのであれば、曲の終わりか否かを判断する（Ｓ１１）。曲の終わりでなければ、ステップＳ３からステップＳ７までの処理を繰り返す。曲の終わりであれば、次の曲に対してステップＳ１〜ステップＳ９までの処理を行う。
【００４４】ステップＳ９において、録音を終了するのであれば、この時点で
メインメモリ５３に記憶されている各トラック毎の入力レベルの最大値をＭＤ５５へ記録する（Ｓ１３）。なお、ＣＤの各曲（つまり、ＭＤの各トラック）が所定区分に対応する
　
（５）図４には、入力レベルの最大値のデータ構造の例が示めされている。
　
　上記摘示事項及び図面の記載を参酌すると、引用例には、次の発明（以下「引用発明」という。）が記載されているものと認める。
　
「入力信号を記録媒体に記録する記録装置であって、
　外部（ＣＤプレーヤ）から受け取った入力信号のレベルを検出するレベル検出手段と、
　前記レベル検出手段によって検出されたレベルの曲毎の最大値を算出する最大レベル算出手段と、
　前記最大レベル算出手段によって算出された最大値を当該曲に対応付けて記録媒体に記録する記録手段と、
を備えた記録装置。」
　
３．対比
　
　本願発明と引用発明とを対比する。
（１）引用発明の「曲」は、本願発明の「オーディオデータ」に相当し、そして、引用発明の「入力信号」は、「外部（ＣＤプレーヤ）から受け取っ」ているのであるから、引用発明は、外部からオーディオデータを抽出していることは明らかであり、本願発明の「抽出手段」に相当する構成を備えている。
（２）引用発明の「レベル」は、本願発明の「録音レベル」に相当する。引用発明の「最大レベル算出手段」は、「レベル検出手段によって検出されたレベルの曲毎の最大値を算出する」ものであり、本願発明の「前記抽出手段にて抽出したオーディオデータの録音レベルを検出して検出結果を出力する」「検出手段」に相当する。
（３）引用発明は、「最大レベル算出手段によって算出された最大値を当該曲に対応付け」るものであるから、本願発明の「前記検出結果を対応するオーディオデータと関連付け」「る」手段を備えている点で共通する。
（４）引用発明の「記録媒体」は、ＭＤのことであるから、「不揮発性」であることは明らかであり、そして、引用発明と本願発明の「記録手段」は共通する。
（５）引用発明の「記録装置」は、本願発明の「オーディオデータ処理装置」に相当する。
　
　そうすると、本願発明と引用発明とは、次の点で一致する。
　
＜一致点＞
　
「外部からオーディオデータを抽出する抽出手段と、
　前記抽出手段にて抽出したオーディオデータの録音レベルを検出して検出結果を出力する検出手段と、
　前記検出結果を対応するオーディオデータと関連付ける手段と、
　前記抽出したオーディオデータを記録する不揮発性の記録手段とを
有する
　オーディオデータ処理装置。」
　
そして、次の各点で相違する。
　
＜相違点＞
　
（ａ）本願発明は、「前記検出結果を対応するオーディオデータと関連付けてデータベース化するデータベース生成手段」を備えているのに対し、引用発明は、そのようなデータベース生成手段を備えていない点。
　
（ｂ）「記録手段」について、本願発明は、「前記抽出したオーディオデータと前記データベース」を記録するのに対し、引用発明は、最大レベル算出手段によって算出された最大値を当該曲に対応付けて記録する点。
　
４．判断
　
　そこで、上記相違点について検討する。
　
相違点（ａ）について
　引用例の図４には、記録装置（ＭＤレコーダ）のメインメモリ５３において、入力レベルの最大値をその最大値を取得した曲の録音トラックと関連づけて記憶するデータ構造が記載されており、最大値を曲と関連付けて記憶させるのであるから、曲毎の最大値は体系的に整理されているものである。また、ディスク状の大容量記録媒体にデータベースを記録することは周知（必要であれば、「実願昭６３−１８５０３号（実開平１−１２４９７８号）のマイクロフィルム」の（従来の技術）（考案が解決しようとする課題）の記載等参照）である。
　そうすると、最大レベル算出手段によって算出された最大値を当該曲に対応付けて記録媒体に記録する引用発明において、この最大レベル算出手段によって算出された最大値を当該曲に対応付けてデータベース化すること、すなわち相違点（ａ）の、「前記検出結果を対応するオーディオデータと関連付けてデータベース化するデータベース生成手段」を備える構成とすることは上記周知技術から当業者が容易に想到できたものである。
　
相違点（ｂ）について
　相違点（ａ）で検討したようにデータベース化することは当業者が容易に想到できたものであるから、前記抽出したオーディオデータと前記データベースを記録することは当業者が適宜なし得る程度のことである。
　そして、上記各相違点を総合的に判断しても、本願発明が奏する効果は引用例及び周知技術から当業者が十分に予測できたものであって格別なものとはいえない。
　
５．むすび
　
　以上のとおり、本願の請求項１に係る発明は、引用例に記載された発明及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。